(57)【特許請求の範囲】
【請求項１】
画像を投写対象物に投写する投写部と、
前記投写部に関するフォーカス調整値およびズーム調整値並びに前記画像のアスペクト比、または、前記投写対象物に投写された前記画像の撮像による撮像信号値に基づき、前記投写対象物に投写された前記画像の大きさに関する画像サイズを決定する画像サイズ決定部と、
当該画像サイズ決定部によって決定された前記画像サイズに基づき、前記投写部に対し、適切な観察位置を示唆する示唆画像を投写させる制御を行う制御部と、
を含むプロジェクター。
【請求項２】
請求項１に記載のプロジェクターにおいて、
前記投写部に関するフォーカス調整値または撮像による撮像信号値に基づき、前記投写対象物から、観察者が前記プロジェクターに近接した位置で前記画像を観察する場合の観察位置までの距離である視距離を決定する視距離決定部と、
前記視距離が前記画像サイズに適合しているかどうかを判定する判定部と、
を含み、
前記制御部は、前記判定部によって前記視距離が前記画像サイズに適合していないと判定されると、前記投写部に対し、前記示唆画像として、現在の観察位置と、適切な観察位置とを示唆する画像を投写させる制御を行う、
プロジェクター。
【請求項３】
請求項２に記載のプロジェクターにおいて、
前記視距離決定部は、前記フォーカス調整値または前記撮像信号値に加え、前記投写部に関するレンズシフト調整値に基づき、前記視距離を決定する、
プロジェクター。
【請求項４】
請求項２または請求項３に記載のプロジェクターにおいて、
前記判定部は、前記画像の観察者の年齢に関する属性値に基づき、前記視距離が前記画像サイズに適合しているかどうかを判定する、
プロジェクター。
【請求項５】
請求項１〜４のいずれか１項に記載のプロジェクターにおいて、
前記投写部は、前記画像として、３Ｄ映像を投写し、
前記制御部は、前記適切な観察位置として、前記投写対象物に投写された画像の垂直方向の長さを３倍した値に基づく位置を示唆する前記示唆画像を投写させる制御を行う、
プロジェクター。
【請求項６】
プロジェクターであって、
画像を投写対象物に投写する投写部と、
前記投写部に関するフォーカス調整値、または前記投写対象物に投写された前記画像の撮像による撮像信号値に基づき、前記投写対象物に投写された画像から、観察者が前記プロジェクターに近接した位置で前記画像を観察する場合の観察位置までの距離である視距離を決定する視距離決定部と、
当該視距離決定部によって決定された前記視距離に基づき、前記投写部に対し、適切な画像の大きさまたは種別を示唆する示唆画像を投写させる制御を行う制御部と、
を含むプロジェクター。
【請求項７】
画像を投写対象物に投写する投写部を含むプロジェクターが、
前記投写部に関するフォーカス調整値およびズーム調整値並びに前記画像のアスペクト比、または、前記投写対象物に投写された前記画像の撮像による撮像信号値に基づき、前記投写対象物に投写された前記画像の大きさに関する画像サイズを決定し、
前記画像サイズに基づき、前記投写部に対し、適切な観察位置を示唆する示唆画像を投写させる制御を行い、
前記示唆画像を投写する、
投写方法。
【請求項８】
画像を投写対象物に投写する投写部を含むプロジェクターが、
前記投写部に関するフォーカス調整値、または前記投写対象物に投写された前記画像の撮像による撮像信号値に基づき、前記投写対象物に投写された画像から、観察者が前記プロジェクターに近接した位置で前記画像を観察する場合の観察位置までの距離である視距離を決定し、
前記視距離に基づき、前記投写部に対し、適切な画像の大きさまたは種別を示唆する示唆画像を投写させる制御を行い、
前記示唆画像を投写する、
投写方法。
【発明の詳細な説明】
【技術分野】
【０００１】
本発明は、プロジェクターおよび投写方法に関する。
【背景技術】
【０００２】
テレビの場合、比較的狭い部屋で使用され、画像の大きさも固定であるため、３Ｄ映像の視聴等における最適な観察位置はあまり考慮しなくてよい。これに対し、プロジェクターの場合、様々な大きさの部屋で使用され、画像の大きさも可変であるため、最適な観察位置を十分に考慮する必要がある。具体的には、３Ｄ映像を最適に観察するためには、表示された画像の垂直方向における長さの３倍の位置で観察することが必要である。例えば、特開２０００−１４０４４２号公報では、画像の観察者の座高や身長に対応するため、観察者の頭部位置を検出し、当該頭部位置に応じて座面を上下駆動する画像表示装置が記載されている。
【先行技術文献】
【特許文献】
【０００３】
【特許文献１】特開２０００−１４０４４２号公報
【発明の概要】
【発明が解決しようとする課題】
【０００４】
しかし、特開２０００−１４０４４２号公報の手法では、観察者ごとに上下駆動可能な座面を用意する必要がある上、観察位置の調整範囲が狭いため、不特定多数の観察者が様々な大きさの部屋で画像を観察するプロジェクターの使用状況には適切に対応することができない。
【０００５】
本発明にかかるいくつかの態様は、上記課題を解決することにより、画像の観察者に適切な観察状態を示唆することが可能なプロジェクターおよび投写方法を提供するものである。
【課題を解決するための手段】
【０００６】
本発明の態様の１つであるプロジェクターは、画像を投写対象物に投写する投写部と、前記投写部に関するフォーカス調整値およびズーム調整値並びに前記画像のアスペクト比、または、撮像による撮像信号値に基づき、前記画像の大きさに関する画像サイズを決定する画像サイズ決定部と、当該画像サイズ決定部によって決定された前記画像サイズに基づき、前記投写部に対し、適切な観察位置を示唆する示唆画像を投写させる制御を行う制御部と、を含むことを特徴とする。
【０００７】
また、本発明の態様の１つである投写方法は、画像を投写対象物に投写する投写部を含むプロジェクターが、前記投写部に関するフォーカス調整値およびズーム調整値並びに前記画像のアスペクト比、または、撮像による撮像信号値に基づき、前記画像の大きさに関する画像サイズを決定し、前記画像サイズに基づき、前記投写部に対し、適切な観察位置を示唆する示唆画像を投写させる制御を行い、前記示唆画像を投写することを特徴とする。
【０００８】
本発明によれば、プロジェクターは、画像サイズに適合した観察位置を示唆する示唆画像を投写することができるため、画像の観察者に適切な観察状態を示唆することができる。
【０００９】
また、本発明の態様の１つであるプロジェクターは、画像を投写対象物に投写する投写部と、前記投写部に関するフォーカス調整値または撮像による撮像信号値に基づき、前記投写対象物に投写された画像から前記画像の観察位置までの距離である視距離を決定する視距離決定部と、当該視距離決定部によって決定された前記視距離に基づき、前記投写部に対し、適切な画像の大きさまたは種別を示唆する示唆画像を投写させる制御を行う制御部と、を含むことを特徴とする。
【００１０】
また、本発明の態様の１つである投写方法は、画像を投写対象物に投写する投写部を含むプロジェクターが、前記投写部に関するフォーカス調整値または撮像による撮像信号値に基づき、前記投写対象物に投写された画像から前記画像の観察位置までの距離である視距離を決定し、前記視距離に基づき、前記投写部に対し、適切な画像の大きさまたは種別を示唆する示唆画像を投写させる制御を行い、前記示唆画像を投写することを特徴とする。
【００１１】
本発明によれば、プロジェクターは、視距離に適合した適切な画像の大きさまたは種別を示唆する示唆画像を投写することができるため、画像の観察者に適切な観察状態を示唆することができる。
【００１２】
また、上記プロジェクターは、前記投写部に関するフォーカス調整値または撮像による撮像信号値に基づき、前記投写対象物から前記画像の観察位置までの距離である視距離を決定する視距離決定部と、前記視距離が前記画像サイズに適合しているかどうかを判定する判定部と、を含み、前記制御部は、前記判定部によって前記視距離が前記画像サイズに適合していないと判定されると、前記投写部に対し、前記示唆画像として、現在の観察位置と、適切な観察位置とを示唆する画像を投写させる制御を行ってもよい。これによれば、プロジェクターは、現在の観察位置と適切な観察位置を示唆することにより、画像の観察者によりわかりやすく適切な観察状態を示唆することができる。
【００１３】
また、前記視距離決定部は、前記フォーカス調整値または前記撮像信号値に加え、前記プロジェクターに対するリモートコントローラーの相対位置または３Ｄメガネの相対位置、あるいは、前記投写部に関するレンズシフト調整値に基づき、前記視距離を決定してもよい。これによれば、プロジェクターは、より正確に視距離を決定し、より正確に適切な観察位置を示唆することができる。
【００１４】
また、前記判定部は、前記画像の観察者の年齢に関する属性値に基づき、前記視距離が前記画像サイズに適合しているかどうかを判定してもよい。これによれば、プロジェクターは、観察者の年齢に適合した観察位置を示唆することができるため、より正確に適切な観察位置を示唆することができる。
【００１５】
また、前記投写部は、前記画像として、３Ｄ映像を投写し、前記制御部は、前記適切な観察位置として、前記投写対象物に投写された画像の垂直方向の長さを３倍した値に基づく位置を示唆する前記示唆画像を投写させる制御を行ってもよい。これによれば、プロジェクターは、３Ｄ映像の観察に適した観察位置を示唆することができる。
【図面の簡単な説明】
【００１６】
【図１】第１の実施例における投写状況を示す図である。
【図２】第１の実施例におけるプロジェクターの機能ブロック図である。
【図３】第１の実施例におけるプロジェクターのハードウェアブロック図である。
【図４】第１の実施例における投写手順を示すフローチャートである。
【図５】第１の実施例における示唆画像の一例を示す図である。
【図６】第２の実施例におけるプロジェクターの機能ブロック図である。
【図７】第２の実施例における投写手順を示すフローチャートである。
【図８】第２の実施例における示唆画像の一例を示す図である。
【図９】その他の実施例における示唆画像の一例を示す図である。
【図１０】その他の実施例における示唆画像の他の一例を示す図である。
【図１１】その他の実施例における示唆画像の他の一例を示す図である。
【発明を実施するための形態】
【００１７】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１８】
（第１の実施例）
図１は、第１の実施例における投写状況を示す図である。プロジェクター１００は、画像２０として、３Ｄ映像と２Ｄ映像をスクリーン（投写対象物）１０に投写する機能を有している。なお、プロジェクター１００は、画像２０として、動画像を投写してもよいし、静止画像を投写してもよい。ここでは、プロジェクター１００は、画像２０として、３Ｄ映像（動画像）を投写するものとする。
【００１９】
大人の観察者５０が３Ｄメガネ４０をかけ、小学生の観察者５２が、３Ｄメガネ４２をかけ、リモコン（リモートコントローラー）３０を用いてプロジェクター１００を操作することによって画像２０を投写させることにより、観察者５０、５２は、スクリーン１０に投写された画像２０を観察する。
【００２０】
３Ｄコンソーシアムで策定された「３ＤＣ安全ガイドライン」では、３Ｄ映像が観察される場合、スクリーン１０に投写された画像２０の垂直方向の長さ（高さ）Ｈ１に対し、視距離Ｌ１がＨ１の３倍程度である位置が最適かつ安全な観察位置であると規定されている。プロジェクター１００は、視距離が画像サイズ（Ｈ１）に適合していない場合、最適な観察位置を示唆する示唆画像を投写する機能を有する。次に、このような機能を有するプロジェクター１００の機能ブロックについて説明する。
【００２１】
図２は、第１の実施例におけるプロジェクター１００の機能ブロック図である。プロジェクター１００は、図示しないＤＶＤプレーヤー等の画像供給装置から画像信号等が入力される信号入力部１１０と、記憶部１２０と、画像サイズを決定する画像サイズ決定部１３０と、視距離を決定する視距離決定部１４０と、制御部１５０と、判定部１６０と、リモコン３０からの信号を受け付ける受付部１７０と、投写部１９０を含んで構成されている。また、記憶部１２０は、画像データ１２２等を記憶している。また、投写部１９０は、画像生成部１９１と、レンズ部１９２と、レンズ部１９２を駆動するレンズ駆動部１９４と、レンズ部１９２の位置を検出する位置検出部１９６を含んで構成されている。なお、プロジェクター１００は、音声生成部、音声出力部等を有してもよい。
【００２２】
また、プロジェクター１００は、以下のハードウェアを用いてこれらの各部として機能してもよい。図３は、第１の実施例におけるプロジェクター１００のハードウェアブロック図である。例えば、信号入力部１１０は、ＨＤＭＩ端子９１０、９１１、セレクター９１２、受信回路９１４等、記憶部１２０は、ＲＡＭ９２０、フラッシュＲＯＭ９２２等、画像サイズ決定部１３０、視距離決定部１４０、制御部１５０、判定部１６０はＣＰＵ９３０等、受付部１７０は、受信ユニット９５０等、投写部１９０は、画像処理回路９４０、ランプ駆動回路９９０、ランプ９９１、照明光学系９９２、液晶駆動回路９９３、液晶ライトバルブ９９４、レンズ９９５等であってもよい。なお、レンズ９９５は、実際には、ズームレンズ、フォーカスレンズ、投写レンズ等の複数のレンズで構成されている。
【００２３】
また、フォーカス調整や画角（ズーム）調整を行うためのレンズ駆動部１９４は、モーター９７２、モーター９７２を駆動するモーター駆動回路９７０、モーター９７２の回転速度を調整する減速機構９７４、モーター９７２の回転運動を直線運動に変換する変換機構９７６等であってもよく、当該目的のための位置検出部１９６は、減速機構９７４に接続され、減速機構９７４を介してレンズ９９５（フォーカスレンズまたはズームレンズ）の位置情報を取得するエンコーダー９７８等であってもよい。また、レンズシフトを行うためのレンズ駆動部１９４は、モーター駆動回路９８０、モーター９８２、減速機構９８４、変換機構９８６等であってもよく、当該目的のための位置検出部１９６は、変換機構９８６に接続され、変換機構９８６を介してレンズ９９５（投写レンズ）の位置情報を取得するリニアセンサー９８８等であってもよい。
【００２４】
次に、プロジェクター１００による画像２０の投写手順について説明する。図４は、第１の実施例における投写手順を示すフローチャートである。観察者５０、５２は、リモコン３０を用いて画像２０の大きさを調整する指示を行う。レンズ駆動部１９４は、受付部１７０からの当該指示に応じてレンズ部１９２を駆動する。位置検出部１９６は、当該駆動に応じたレンズ部１９２のズーム位置をズーム値として画像サイズ決定部１３０に伝達する。
【００２５】
また、観察者５０、５２は、リモコン３０を用いて画像２０のフォーカスを調整する指示を行う。レンズ駆動部１９４は、受付部１７０からの当該指示に応じてレンズ部１９２を駆動する。位置検出部１９６は、当該駆動に応じたレンズ部１９２のフォーカス位置をフォーカス値として画像サイズ決定部１３０、視距離決定部１４０に伝達する。
【００２６】
画像サイズ決定部１３０は、フォーカス値、ズーム値、信号入力部１１０からの画像２０のアスペクト比を示す画像信号に基づき、画像サイズ（Ｈ１）を決定し、視距離決定部１４０は、フォーカス値に基づき、視距離（Ｌ１）を決定する（ステップＳ１）。このとき、観察者５０、５２は、プロジェクター１００に近接した位置で画像２０を観察しているものとする。なお、画像サイズ決定部１３０は、観察者５０、５２による画像２０のアスペクト比の指定がある場合は当該指定に応じて画像サイズ（Ｈ１）を決定してもよい。
【００２７】
判定部１６０は、画像サイズ決定部１３０によって決定された画像サイズが、視距離決定部１４０によって決定された視距離と適合しているかどうかを判定する（ステップＳ２）。例えば、３Ｄ映像を観察する状況でＨ１が１．５０ｍの場合、４．５０ｍが最適な視距離である。また、１０％を誤差として許容する場合、判定部１６０は、視距離（Ｌ１）が４．０５ｍ〜４．９５ｍであれば、画像サイズと適合していると判定する。
【００２８】
視距離が画像サイズと適合していない場合、制御部１５０は、現在位置と最適な観察位置を示す示唆画像を投写させるように投写部１９０を制御し、投写部１９０は、当該制御に応じて示唆画像を投写する（ステップＳ３）。例えば、上記の例で、視距離が３．５ｍの場合、投写部１９０は、制御部１５０からの現在の視距離を示す情報および最適な視距離を示す情報と、画像データ１２２に基づき、示唆画像を投写する。
【００２９】
図５は、第１の実施例における示唆画像３００の一例を示す図である。示唆画像３００は、プロジェクター１００がスクリーン１０に画像２０を投写していることを示す画像、観察者５０、５２の現在位置を示す画像、最適な観察位置を示す画像、「プロジェクターから１ｍ下がって視聴してください。」といった最適な観察位置を文字列で示す画像を含む。
【００３０】
視距離が画像サイズと適合していない場合、あるいは、示唆画像３００を投写してから一定時間（例えば、１分等）が経過した後、投写部１９０は、信号入力部１１０から入力され、制御部１５０によって記憶部１２０に記憶された画像データ１２２に基づき、画像２０を生成し、スクリーン１０に投写する（ステップＳ４）。
【００３１】
以上のように、本実施例によれば、プロジェクター１００は、３Ｄ映像の画像サイズに適合した観察位置を示唆する示唆画像３００を投写することができるため、画像２０の観察者５０、５２に適切な観察状態を示唆することができる。また、本実施例によれば、プロジェクター１００は、現在の観察位置と適切な観察位置を示唆することにより、画像２０の観察者５０、５２によりわかりやすく適切な観察状態を示唆することができる。これらにより、プロジェクター１００は、３Ｄ映像信号の製作者の意図した画像２０を観察者５０、５２に観察させることができる。
【００３２】
（第２の実施例）
視距離が画像サイズと適合していない場合、第１の実施例では、プロジェクター１００は、適切な観察位置を示唆する示唆画像３００を投写したが、プロジェクターは、適切な画像の種別を示唆する示唆画像を投写してもよい。また、第１の実施例では、画像サイズ決定部１３０、視距離決定部１４０は、フォーカス値等に基づいて画像サイズと視距離を決定したが、画像サイズ決定部および視距離決定部は撮像信号値に基づいて画像サイズと視距離を決定してもよい。
【００３３】
図６は、第２の実施例におけるプロジェクター１０１の機能ブロック図である。プロジェクター１０１は、プロジェクター１００と同様の構成であるが、撮像部１８０を含み、制御部１５１が、撮像部１８０からの撮像信号値を撮像データ１２４として記憶部１２１に記憶し、視距離が画像サイズと適合していない場合、３Ｄ映像から２Ｄ映像への変更を促す示唆画像を投写させるように投写部１９０を制御し、画像サイズ決定部１３１および視距離決定部１４１が撮像データ１２４を用いる点でプロジェクター１００と異なっている。
【００３４】
なお、本実施例では、３Ｄ映像用の画像信号が信号入力部１１０に入力されるものとする。また、撮像部１８０は、例えば、ＣＭＯＳセンサー等を用いてプロジェクター１０１に実装されてもよい。次に、これらの各部を用いた画像２０の投写手順について説明する。
【００３５】
図７は、第２の実施例における投写手順を示すフローチャートである。撮像部１８０は、スクリーン１０に投写された画像２０を含む領域を撮像する。制御部１５１は、撮像部１８０からの撮像信号値を撮像データ１２４として記憶部１２１に記憶する。画像サイズ決定部１３１は、撮像データ１２４に基づき、画像サイズを決定し、視距離決定部１４１は、撮像データ１２４に基づき、視距離を決定する（ステップＳ１１）。
【００３６】
例えば、画像サイズ決定部１３１は、ズーム状態が変化することによって撮像画像に含まれる画像２０の大きさが小さくなれば、画像サイズが小さくなったと判定することができる。また、例えば、視距離決定部１４１は、ズーム状態が変化しないで撮像画像に含まれる画像２０の大きさが小さくなれば、視距離が長くなったと判定することができ、撮像画像に観察者５０、５２が含まれていれば、実際の視距離が視距離Ｌ１（プロジェクター１００、１０１とスクリーン１０に投写された画像２０との距離）よりも短いと決定することができる。
【００３７】
判定部１６０は、画像サイズ決定部１３１によって決定された画像サイズが、視距離決定部１４１によって決定された視距離と適合しているかどうかを判定する（ステップＳ１２）。視距離が画像サイズと適合している場合、投写部１９０は、画像データ１２２に基づき、３Ｄ映像を投写する（ステップＳ１３）。
【００３８】
一方、視距離が画像サイズと適合していない場合、制御部１５１は、投写部１９０を制御し、投写部１９０は、当該制御に応じて、画像データ１２２に基づき、３Ｄ映像から２Ｄ映像への変更を促す示唆画像を生成し、投写する（ステップＳ１４）。
【００３９】
図８は、第２の実施例における示唆画像３０１の一例を示す図である。示唆画像３０１は、「現在の視聴位置は３Ｄ映像の視聴に適していません。２Ｄ映像に変更しますか？」といった３Ｄ映像から２Ｄ映像への変更を促す文字列を示す画像、「はい」等の選択可能な選択肢を示す画像を含む。
【００４０】
制御部１５１は、受付部１７０からの情報に基づき、示唆画像３０１が投写された状態で、２Ｄ映像に変更することが選択されたかどうかを判定する（ステップＳ１５）。２Ｄ映像に変更することが選択された場合、制御部１５１は、２Ｄ映像を投写させるように投写部１９０を制御し、投写部１９０は、当該制御に応じて、画像データ１２２に基づき、２Ｄ映像を投写する（ステップＳ１６）。一方、２Ｄ映像に変更することが選択されなかった場合、投写部１９０は、画像データ１２２に基づき、３Ｄ映像を投写する（ステップＳ１３）。なお、３Ｄ映像から２Ｄ映像に変更する手法は一般的な手法を採用可能である。
【００４１】
以上のように、本実施例によっても、プロジェクター１０１は、第１の実施例と同様の作用効果を奏する。また、本実施例によれば、観察者５０、５２は、移動しなくて済むため、狭い室内においても、安全かつ快適に画像２０を観察することができる。
【００４２】
（その他の実施例）
なお、本発明の適用は上述した実施例に限定されず、変形が可能である。例えば、上述した実施例の構成を組み合わせてもよい。例えば、レンズ駆動部１９４は、撮像データ１２４に基づいてオートフォーカスを実行してもよく、視距離決定部１４０、１４１は、オートフォーカスによるフォーカス値に基づいて視距離を決定してもよい。
【００４３】
また、示唆画像３００、３０１は、上述した実施例の画像に限定されない。図９は、その他の実施例における示唆画像３０２の一例を示す図である。例えば、制御部は、視距離が画像サイズに適合していない場合、「現在の画像サイズは３Ｄ映像の視聴に適していません。適切な画像サイズに変更しますか？」といった適切な画像の大きさを示唆する示唆画像３０２を投写部１９０に投写させてもよい。
【００４４】
この場合、示唆画像３０２が投写された状態で「はい」が選択されると、制御部１５０、１５１は、視距離に応じた大きさで画像２０が投写されるように投写部１９０を制御してもよい。また、この場合、画像サイズ決定部１３０、１３１は不要である。また、この場合、プロジェクター１００、１０１は、自動的に画像サイズを変更するのではなく、ユーザーにズーム操作等を行わせることによって画像サイズを変更してもよい。
【００４５】
また、判定部１６０による判定は必須ではなく、投写部１９０は、所定のタイミングで示唆画像を投写してもよい。図１０は、その他の実施例における示唆画像３０３の他の一例を示す図である。また、図１１は、その他の実施例における示唆画像３０４の他の一例を示す図である。例えば、投写部１９０は、「この映像は○ｍ付近から視聴してください。」といった適切な観察位置を示す示唆画像３０３、３０４を投写してもよい。なお、示唆画像３０３は、元の画像に上記文字列を示す画像がオーバーレイ表示されている画像であり、示唆画像３０４は、視聴上の注意を示す画像と一緒に上記文字列を示す画像が表示されている画像である。
【００４６】
なお、上記所定のタイミングは、例えば、３Ｄ映像信号の入力を検出し、３Ｄ表示が有効になった時点、ズーム調整、フォーカス調整等が行われた時点、観察者５０、５２が３Ｄメガネ４０、４２のスイッチをオンにした時点、画像２０の投写が開始されてから一定時間（例えば、１時間、２時間等）が経過した時点、３Ｄ映像の視聴上の注意を投写する時点等であってもよい。また、この場合、視距離決定部１４０、１４１は不要である。
【００４７】
また、例えば、受付部１７０が、プロジェクター１００、１０１の前後に設けられている場合、視距離決定部１４０、１４１は、リモコン３０からの信号の受付位置（リモコン３０の相対位置）に応じて、画像２０からリモコン３０までの距離である視距離Ｌ２（図１参照）を決定してもよい。同様に、視距離決定部１４０、１４１は、３Ｄメガネの相対位置（プロジェクター１００に対して前後左右等）に応じて、画像２０から３Ｄメガネ４２までの距離である視距離Ｌ３（図１参照）を決定してもよい。
【００４８】
さらに、投写部１９０に関するレンズシフト値に応じて、画像２０から観察者５０、５２までの距離である視距離を決定してもよい（例えば、左にレンズシフトされていれば、観察者５０、５２がプロジェクター１００に対して左に位置していると決定し、右にレンズシフトされていれば、観察者５０、５２がプロジェクター１００に対して右に位置していると決定する等）。
【００４９】
具体的には、例えば、視距離決定部１４０、１４１は、観察者５０、５２の相対位置がプロジェクター１００の左右であれば、視距離Ｌ１に０．５ｍを加算した値を視距離として決定し、観察者５０、５２の相対位置がプロジェクター１００の前であれば、視距離Ｌ１に１ｍを減算した値を視距離として決定し、観察者５０、５２の相対位置がプロジェクター１００の後ろであれば、視距離Ｌ１に１ｍを加算した値を視距離として決定してもよい。
【００５０】
これらによれば、プロジェクター１００、１０１は、より正確に視距離を決定することができる。なお、受付部１７０が、プロジェクター１００、１０１の１箇所に設けられている場合であっても、例えば、リモコン３０、３Ｄメガネ４０、４２が前後左右に異なる発光パターンの赤外光を発光することにより、視距離決定部１４０、１４１は、相対位置を決定することが可能である。
【００５１】
また、判定部１６０は、観察者５０、５２の年齢に関する属性値に基づき、視距離が画像サイズに適合しているかどうかを判定してもよい。例えば、観察者５２は、小学生であるため、観察者５０よりも目の幅が狭く、観察者５０よりも画像２０の立体感が大きくなる。具体的には、例えば、受付部１７０によって子供用の３Ｄメガネ４２の信号が受信された場合や、観察者５２の年齢が子供の年齢であることを示すユーザーデータが記憶されている場合、判定部１６０は、画像２０の大きさを通常よりも小さくするように制御部１５２に伝達してもよい。これによれば、プロジェクター１００、１０１は、観察者５０、５２の年齢に適合した大きさの画像２０、２１を投写することができる。
【００５２】
また、画像サイズ決定部１３０、１３１は、観察者５０、５２によって入力された画像サイズに応じて画像サイズを決定してもよいし、視距離決定部１４０、１４１は、観察者５０、５２によって入力された視距離に応じて視距離を決定してもよい。なお、上述した実施例では、視距離は、画像２０の中心位置からの距離になっているが、画像２０の中心位置に限定されず、例えば、投射光の光軸の中心位置等であってもよい。
【００５３】
また、判定部１６０は、視距離が画像サイズと適合しているか判定する際の許容値を上下１０％としたが、許容値は上下１０％に限定されない。例えば、判定部１６０は、３Ｄメガネ４０、４２の個数（例えば、３Ｄメガネ４０、４２からの赤外信号に含まれる識別信号の種別数等）や撮像画像に基づいて観察者５０、５２の人数を把握し、人数が多いほど許容値を大きくしてもよい。また、当該判定の基準となる視距離は、画像２０の高さの３倍に限定されない。例えば、３Ｄ映像信号の制作者の意図した視距離が適用されてもよい。
【００５４】
また、画像サイズを決定する元になる値は、画像信号で示されるアスペクト比、ユーザーの指定によるアスペクト比に限定されない。例えば、３Ｄ映像の投写時に画像２０、２１の一部が２Ｄの字幕である場合、画像サイズ決定部１３０、１３１は、当該字幕の部分を除いて画像サイズを決定してもよい。
【００５５】
また、プロジェクター１００、１０１は、２Ｄ映像の投写時に画像２０の大きさを調整してもよい。例えば、観察者５０、５２が、水平方向において、文字等を認識可能な範囲が１００度であれば、画像サイズ（ここでは水平方向の長さ）が観察位置に対して１００度を超える大きさになっている場合、制御部１５０、１５１は、画像サイズが１００度以下になるように、投写部１９０を制御して画像の大きさを縮小させてもよい。
【００５６】
また、プロジェクター１００、１０１の有するコンピューターは、情報記憶媒体に記憶されたプログラムを読み取って制御部１５０、１５１等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００５７】
なお、投写対象物は、スクリーン１０に限定されず、例えば、壁、ホワイトボード、黒板等であってもよい。また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりに有機ＥＬ素子、シリコン発光素子、レーザーダイオード、ＬＥＤ等の固体光源を含む自己発光素子を採用してもよい。また、プロジェクター１００、１０１の機能を複数の装置（例えば、ＰＣとプロジェクター等）に分散してもよい。
【符号の説明】
【００５８】
１０  スクリーン（投写対象物）、２０  画像、３０  リモコン、４０、４２  ３Ｄメガネ、５０、５２  観察者、１００、１０１  プロジェクター、１１０  信号入力部、１２０、１２１  記憶部、１２２  画像データ、１２４  撮像データ、１３０、１３１  画像サイズ決定部、１４０、１４１  視距離決定部、１５０、１５１  制御部、１６０  判定部、１７０  受付部、１８０  撮像部、１９０  投写部、１９１  画像生成部、１９２  レンズ部、１９４  レンズ駆動部、１９６  位置検出部、３００〜３０４  示唆画像、９１０、９１１  ＨＤＭＩ端子、９１２  セレクター、９１４  受信回路、９２０  ＲＡＭ、９２２  フラッシュＲＯＭ、９３０  ＣＰＵ、９４０  画像処理回路、９５０  受信ユニット、９７０、９８０  モーター駆動回路、９７２、９８２  モーター、９７４、９８４  減速機構、９７６、９８６  変換機構、９７８  エンコーダー、９８８  リニアセンサー、９９０  ランプ駆動回路、９９１  ランプ、９９２  照明光学系、９９３  液晶駆動回路、９９４  液晶ライトバルブ、９９５  レンズ
【図２】
0005810590.tif 000002
【図３】
0005810590.tif 000003
【図４】
0005810590.tif 000004
【図５】
0005810590.tif 000005
【図６】
0005810590.tif 000006
【図７】
0005810590.tif 000007
【図１０】
0005810590.tif 000008
【図１１】
0005810590.tif 000009
【図１】
0005810590.tif 000010
【図８】
0005810590.tif 000011
【図９】
0005810590.tif 000012